(57)【要約】【課題】指紋を残さずに紙を取り出せる非接触式の紙収容ケースを提供する。【解決手段】紙収容ケースは、筐体と、筐体内に回転自在に設けられる送出ローラーと、筐体の送出ローラーの上方にある位置に設けられる保護板と、保護板の送出ローラーに対応する位置に設けられる弾性材と、筐体外に設けられ、送出ローラーを駆動する伝動装置と、筐体の送出ローラーに対応する位置に設けられる送出口と、筐体の送出口に反対する側に設けられる差入口とを含む。【選択図】図１
2007182046.tif 000002
【特許請求の範囲】
【請求項１】
非接触式の紙収容ケースであって、
筐体と、
筐体内に回転自在に設けられる送出ローラーと、
筐体の送出ローラーの上方にある位置に設けられる保護板と、
保護板の送出ローラーに対応する位置に設けられる弾性材と、
筐体外に設けられ、送出ローラーを駆動する伝動装置と、
筐体の送出ローラーに対応する位置に設けられる送出口と、
筐体の送出口に反対する側に設けられる差入口とを含むことを特徴とする紙収容ケース。
【請求項２】
前記紙収容ケースは更に、弾性材と送出ローラーの間に設けられる低摩擦係数の平板を含むことを特徴とする請求項１記載の紙収容ケース。
【請求項３】
前記紙収容ケースは更に、送出ローラーと平行するように筐体内に回転自在に設けられる複数の載置ローラーを含むことを特徴とする請求項１記載の紙収容ケース。
【請求項４】
前記複数の載置ローラーがゴムで被覆されることを特徴とする請求項１記載の紙収容ケース。
【請求項５】
前記伝動装置が回転ホイールであることを特徴とする請求項１記載の紙収容ケース。
【請求項６】
前記回転ホイールの直径が送出ローラーの直径より大きいであることを特徴とする請求項５記載の紙収容ケース。
【請求項７】
前記送出ローラーがゴムで被覆されることを特徴とする請求項１記載の紙収容ケース。
【請求項８】
前記伝動装置は、
筐体と、
一端が筐体内に回転自在に取り付けられ、その他の一端が送出ローラーの軸と係合するウォームと、
筐体内に回転自在に取り付けられ、ウォームと噛合するウォームホイールと、
ウォームホイールと平行するように筐体内に回転可能に取り付けられ、円周の一部が筐体から突出する回転ホイールと、
回転ホイールとウォームホイールと緊密に連結するベルトとを含むことを特徴とする請求項１記載の紙収容ケース。
【請求項９】
前記伝動装置は更に、ウォームホイールを被覆する第一ベルトホイールと、回転ホイールを被覆する第二ベルトホイールとを含むことを特徴とする請求項８記載の紙収容ケース。
【発明の詳細な説明】
【技術分野】
【０００１】
この発明は紙を収容するケースに関し、特に手を触れずに紙を取り出せる紙収容ケースに関する。
【背景技術】
【０００２】
名刺は個人情報が記されている紙製またはプラスチック製のカードである。それを収容する名刺ケースは既に広く利用されている。名刺を出す場合、ケースを開けて名刺を手で取り出すことが普通である。しかしそうすると、名刺に指紋がつきやすい。特に写真紙でつくられた名刺の場合では問題となる。
【発明の開示】
【発明が解決しようとする課題】
【０００３】
この発明は前述の問題を解決するため、非接触式の紙収容ケースを提供することを課題とする。
【課題を解決するための手段】
【０００４】
この発明は非接触式の紙収容ケースを提供する。該紙収容ケースは、筐体と、筐体内に回転自在に設けられる送出ローラーと、筐体の送出ローラーの上方にある位置に設けられる保護板と、保護板の送出ローラーに対応する位置に設けられる弾性材と、筐体外に設けられ、送出ローラーを駆動する伝動装置と、筐体の送出ローラーに対応する位置に設けられる送出口と、筐体の送出口に反対する側に設けられる差入口とを含む。
【発明の効果】
【０００５】
この発明は紙収容ケースに回転ホイール及びそれと連動する送出装置を設ける。回転ホイールを回すだけで、手を触れずに紙を取り出すことができる。
【発明を実施するための最良の形態】
【０００６】
かかる装置の特徴を詳述するために、具体的な実施例を挙げ、図を参照して以下に説明する。
【０００７】
図１から図４を参照する。図１はこの発明による非接触式の紙収容ケース１０の外見を表し、図２は図１の紙収容ケース１０の内部構造を表す。図３は図１の紙収容ケース１０の正面図であり、図４は図１の紙収容ケース１０の組立図である。紙収容ケース１０は筐体１００と、送出ローラー１０２と、保護板１０４と、弾性材１０６と、伝動装置１０８と、送出口１１０と、差入口１１２と、低摩擦係数の平板１１４と、載置ローラー１１６、１１８、１２０、１２２、１２４とを含む。
【０００８】
送出ローラー１０２と載置ローラー１１６、１１８、１２０、１２２、１２４はゴムで被覆され、筐体１００内に回転自在に設けられる。送出ローラー１０２は伝動装置１０８と連動するものである。保護板１０４は送出ローラー１０２と載置ローラー１１６、１１８、１２０、１２２、１２４の上方にある筐体１００に設けられ、保護板１０４の送出ローラー１０２に対応する位置には、下方に圧力を加えるための弾性材１０６が設けられる。弾性材１０６はリード片など弾性を有する部材である。低摩擦係数の平板１１４は弾性材１０６と送出ローラー１０２並びに載置ローラー１１６、１１８、１２０、１２２、１２４との間に設けられる。言い換えれば、低摩擦係数の平板１１４と載置ローラー１１６、１１８、１２０、１２２、１２４との間は収容空間１２６をなしている。収容空間１２６の前後はそれぞれ送出口１１０と差入口１１２に対応する。弾性材１０６の下方に加えられる圧力を受け、収容空間１２６の中の紙は送出ローラー１０２と載置ローラー１１６、１１８、１２０、１２２、１２４と密着する。伝動装置１０８に設けられる回転ホイールを回せば、送出ローラー１０２はそれと連動して、収容空間１２６の紙を送出口１１０から送り出す。伝動装置１０８の構造については図５を参照する。伝動装置１０８は筐体２００と、ウォーム２０２と、ウォームホイール２０４と、回転ホイール２０６と、ベルト２０８と、ベルトホイール２１０、２１２からなる。図５によれば、ウォーム２０２の一端は筐体２００に回転自在に取り付けられ、その他の一端は送出ローラー１０２の軸と係合する。したがって、回転ホイール２０６を回せば、それと連動するベルトホイール２１２はベルト２０８を牽引する。それを受けてウォームホイール２０４はウォーム２０２を回らせ、最終的に送出ローラー１０２を動かすことになる。
【０００９】
紙は差入口から収容空間１２６に入れられる。あるいは、保護板１０４と平板１１４を開け、紙をケース１０の上から収容空間１２６に入れることも可能である。この場合、紙を入れた後に平板１１４と保護板１０４を閉めるだけで、収容空間１２６にある紙を送出ローラー１０２と載置ローラー１１６、１１８、１２０、１２２、１２４に密着させることができる。収容空間１２６にある紙を取り出そうとすれば、伝送装置１０８の回転ホイール２０６を回して送出ローラー１０２を動かすだけで、紙は送出口１１０から送り出される。そうすると、手を触れずに紙を取り出すことができるから、紙に指紋を残すことはない。換言すれば、紙収容ケース１０に写真紙でつくられた名刺を置いても、ケース１０上の回転ホールを回すだけで、名刺に指紋を残す心配なく取り出すことができる。
【００１０】
注意すべきことは、図１から図５は単に実施例を挙げるに過ぎず、この発明を制限するものではない。当業者はこの発明の趣旨に沿ってさまざまな変更をなし得る。例えば、図４の伝動装置１０８を図６のように変更することができる。図６では、回転ホイール６００は直接に送出ローラー１０２を動かし、結果的に伝送装置１０８と同じ機能を果たす。
【００１１】
したがって、この発明による紙収容ケース１０を利用すれば、指紋を残さずに紙を取り出すことができる。のみならず、紙収容ケース１０の大きさは自由に変更できる。例えば携帯型写真プリンターとサイズを合わせ、写真名刺やカードを随時に作成してケースに入れることが可能である。
【００１２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１３】
この発明は紙収容ケースに回転ホイール及びそれと連動する送出装置を設ける。回転ホイールを回すだけで、手を触れずに紙を取り出すことができる。
【図面の簡単な説明】
【００１４】
【図１】この発明による非接触式の紙収容ケースの外見図である。
【図２】図１の紙収容ケースの内部構造図である。
【図３】図１の紙収容ケースの正面図である。
【図４】図１の紙収容ケースの組立図である。
【図５】図１の紙収容ケースの伝動装置を表す第一説明図である。
【図６】図１の紙収容ケースの伝動装置を表す第二説明図である。
【符号の説明】
【００１５】
１０                     紙収容ケース
１００                   筐体
１０２                   送出ローラー
１０４                   保護板
１０６                   弾性材
１０８                   伝動装置
１１０                   送出口
１１２                   差入口
１１４                   低摩擦係数の平板
１１６、１１８、１２０、 載置ローラー
１２２、１２４
１２６                   収容空間
２００                   筐体
２０２                   ウォーム
２０４                    ウォームホイール
２０６、６００           回転ホイール
２０８                   ベルト
２１０、２１２           ベルトホイール
【図１】
2007182046.tif 000003
【図２】
2007182046.tif 000004
【図３】
2007182046.tif 000005
【図４】
2007182046.tif 000006
【図５】
2007182046.tif 000007
【図６】
2007182046.tif 000008